(57)【要約】【課題】シール部材を容易に剥離することができる遊技機を提供すること。【解決手段】  一般入賞ユニット４００は、シール部材３００が貼付されるシール貼付部４１８と、シール貼付部４１８の反対側に向けて突出する突出部４１５と、シール貼付部４１８に形成され、シール貼付部４１８に貼付されたシール部材３００をシール貼付部４１８の反対側から押圧して剥離するための孔部４２０と、を有し、突出部４１５は、シール貼付部４１８の反対側における孔部４２０に対応する領域にかからないように突出している。【選択図】図９
2019000572.tif 000002
【特許請求の範囲】
【請求項１】
遊技が可能な遊技機であって、
シール部材が貼付されるシール貼付部と、
前記シール貼付部の反対側に向けて突出する突出部と、
前記シール貼付部に形成され、該シール貼付部に貼付されたシール部材を該シール貼付部の反対側から押圧して剥離するための孔部と、
を備え、
前記突出部は、前記シール貼付部の反対側における前記孔部に対応する領域にかからないように突出している
ことを特徴とする遊技機。
【発明の詳細な説明】
【技術分野】
【０００１】
本発明は、遊技が可能な遊技機に関する。
【背景技術】
【０００２】
スロットマシンやパチンコ遊技機等の遊技機にあっては、旧機種から新機種への機種変更、あるいはスペックが異なる機種への機種変更を行う場合、例えば、既存の遊技機において、異なる遊技機で共通に用いられる共通ユニットはそのまま維持し、該共通ユニットに対して交換可能に設けられる交換ユニットのみを交換することにより、機種変更できるようにしたもの等がある。このような場合、共通ユニットにおける既存の装飾用のシール部材を新規のシール部材に貼り替えること等も行われる。
【０００３】
既存の装飾用のシール部材を新規のシール部材に貼り替える作業に対応する遊技機としては、例えば、遊技盤等のベース部材に取付けられる取付体のシール貼着部に貫通する孔部を設け、シール貼着部の反対側から剥離棒等を突き通すことにより、シール貼着部に貼付されたシール部材を押圧して剥離するもの等がある（例えば、特許文献１参照）。
【先行技術文献】
【特許文献】
【０００４】
【特許文献１】特開２００３−１９０４６５号公報
【発明の概要】
【発明が解決しようとする課題】
【０００５】
しかしながら、上記特許文献１に記載の遊技機にあっては、シール部材の形状等に合わせてシール貼着部に対してシール部材を剥がしやすい位置に孔部を設けるが、シール部材を剥がしやすい位置に孔部を設けた場合、当該孔部を設けた位置に取付体を遊技盤に取付けるための取付ボスや、遊技球を遊技盤の背面側に誘導するための誘導通路等の突出部があると、当該突出部により剥離棒の孔部への挿入が阻害され、シール部材を剥離し難くなってしまうという問題があった。
【０００６】
本発明は、このような問題点に着目してなされたもので、シール部材を容易に剥離することができる遊技機を提供することを目的とする。
【課題を解決するための手段】
【０００７】
前記課題を解決するために、本発明の手段１の遊技機は、
遊技が可能な遊技機（例えば、パチンコ遊技機１／スロットマシン）であって、
シール部材（例えば、シール部材３００）が貼付されるシール貼付部（例えば、シール貼付部４１８／シール貼付部６１８）と、
前記シール貼付部の反対側に向けて突出する突出部（例えば、突出部４１５／誘導部６０８／取付ボス等）と、
前記シール貼付部に形成され、該シール貼付部に貼付されたシール部材を該シール貼付部の反対側から押圧して剥離するための孔部（例えば、孔部４２０／孔部６２０）と、
を備え、
前記突出部は、前記シール貼付部の反対側における前記孔部に対応する領域にかからないように突出している（例えば、突出部４１５は、シール貼付部４１８の反対側における孔部４２０に対応する領域にかからないように突出している。図９，図１１参照。）
ことを特徴としている。
この特徴によれば、シール貼付部の反対側に向けて突出する突出部を有する取付体であっても、シール貼付部の反対側から孔部を介してシール部材を剥離する際に突出部が邪魔になることがないので、シール部材を容易に剥離することができる。
【０００８】
本発明の手段２の遊技機は、手段１に記載の遊技機であって、
遊技領域（例えば、遊技領域１０）に向けて遊技媒体（例えば、遊技球Ｐ）を発射することにより遊技を行う遊技機（例えば、パチンコ遊技機１）であって、
前記遊技領域を流下する遊技媒体が通過可能な通路部（例えば、一般入賞口４０１Ａ，４０１Ｂ，４０１Ｃ／空間Ｓ’）を備え、
前記通路部は、
前記シール貼付部（例えば、シール貼付部４１８／シール貼付部６１８）を有する第１壁部（例えば、前壁部４０９／前板部６０６）と、
前記第１壁部から連設され前記突出部（例えば、側壁部４１０Ｌ，４１０Ｒ及び底壁部４１１／誘導部６０８）を構成する第２壁部（例えば、突出部４１５／誘導部６０８）と、
から構成され、
前記孔部（例えば、孔部４２０／孔部６２０）は、前記シール貼付部における前記通路部に対応する位置に形成されている（例えば、孔部４２０は、シール貼付部４１８における一般入賞口４０１Ａに対応する位置に形成されている。／孔部６２０は、シール貼付部６１８における空間Ｓ’に対応する位置に形成されている。図７〜図９，図１１参照）
ことを特徴としている。
この特徴によれば、シール貼付部の反対側に向けて通路部が延設されることで、孔部におけるシール貼付部の反対側に空間が確保されるため、孔部を使いやすくなる。
【０００９】
本発明の手段３の遊技機は、手段２に記載の遊技機であって、
前記第１壁部（例えば、前壁部４０９）における前記通路部（例えば、一般入賞口４０１Ａ，４０１Ｂ，４０１Ｃ）側には、遊技媒体を案内する案内部（例えば、凸条部４１４）が設けられ、
前記孔部（例えば、孔部４２０）は、前記シール貼付部（例えば、シール貼付部４１８）における前記第２壁部（例えば、突出部４１５）と前記案内部との間に形成されている（例えば、孔部４２０は、前壁部４０９（シール貼付部４１８）における側壁部４１０Ｒと凸条部４１４との間に形成されている。図９（Ａ）参照。）
ことを特徴としている。
この特徴によれば、案内部により第１壁部の強度が向上するため、孔部を形成することによる強度低下を抑制できる。
【００１０】
本発明の手段４の遊技機は、手段１〜３のいずれかに記載の遊技機であって、
前記突出部（例えば、突出部４１５／誘導部６０８）の端部には、該突出部とは別個に設けられる接続部材（例えば、延設部４１６／ベース部材６０２、ＬＥＤ基板６０４、カバー部材６０５）が接続可能とされ、
前記接続部材は、前記突出部の端部から前記シール貼付部の反対側における前記孔部に対応する領域にかからないように突出している（例えば、延設部４１６は、突出部４１５の端部からシール貼付部４１８の反対側における孔部４２０に対応する領域にかからないように突出している。／ベース部材６０２、ＬＥＤ基板６０４、カバー部材６０５は、孔部６２１，６２２，６２３により、誘導部６０８の端部からシール貼付部６１８の反対側における孔部６２０に対応する領域にかからないように突出している。図７，図８，図１１参照）
ことを特徴としている。
この特徴によれば、シール貼付部の反対側から孔部を介してシール部材を剥離する際に接続部材が邪魔になることがないので、シール部材を容易に剥離することができる。
【００１１】
本発明の手段５の遊技機は、手段１〜４のいずれかに記載の遊技機であって、
複数の前記シール貼付部（例えば、シール貼付部４１８／シール貼付部６１８）を備え、
前記孔部（例えば、孔部４２０／孔部６２０）は、複数の前記シール貼付部各々に対応して設けられている（例えば、孔部４２０は、複数のシール貼付部４１８が各々に対応して設けられている。／これら各シール貼付部６１８には、前板部６０６を前後方向に貫通して空間Ｓ’に連通する孔部６２０がそれぞれ１つずつ設けられている。図３及び図１０参照。）
ことを特徴としている。
この特徴によれば、複数のシール部材を各々剥離することが可能となる。
【００１２】
本発明の手段６の遊技機は、手段１〜５のいずれかに記載の遊技機であって、
前記孔部（例えば、孔部４２０／孔部６２０）は、前記シール貼付部（例えば、シール貼付部４１８／シール貼付部６１８）の中央からずれた位置に形成されている（例えば、孔部４２０は、シール貼付部４１８の中央からずれた位置に形成されている。／これら孔部６２０は、誘導部６０８を避けてその近傍に設けられている。図９及び図１０参照。）
ことを特徴としている。
この特徴によれば、シール部材を破断せずに剥離しやすくなる。
【００１３】
尚、本発明は、本発明の請求項に記載された発明特定事項のみを有するものであってもよいし、本発明の請求項に記載された発明特定事項とともに該発明特定事項以外の構成を有するものであってもよい。
【図面の簡単な説明】
【００１４】
【図１】パチンコ遊技機を正面から見た正面図である。
【図２】主基板における回路構成の一例を示すブロック図である。
【図３】（Ａ）は一般入賞ユニットを示す正面図であり、（Ｂ）は一般入賞ユニットを示す背面図である。
【図４】一般入賞ユニットを正面から見た斜視図であり、（Ｂ）は一般入賞ユニットを背面から見た斜視図である。
【図５】一般入賞ユニットの構造を正面から見た分解斜視図である。
【図６】一般入賞ユニットの構造を背面から見た分解斜視図である。
【図７】図３（Ａ）におけるＡ−Ａ断面図である。
【図８】図３（Ａ）におけるＢ−Ｂ断面図である。
【図９】（Ａ）は入賞口形成部の構造を示す正面図であり、（Ｂ）は一般入賞ユニットの背面側から棒状部材を進入させる状態を示す斜視図であり、（Ｃ）は棒状部材によりシール部材を背面側から押圧した状態を示す上面断面図である。
【図１０】（Ａ）は一般入賞ユニットの変形例を示す正面図であり、（Ｂ）は一般入賞ユニットの変形例を示す背面図である。
【図１１】（Ａ）は図１０（Ａ）におけるＣ−Ｃ断面図であり、（Ｂ）は（Ａ）の状態から棒状部材によりシール部材を背面側から押圧した状態を示す上面断面図である。
【発明を実施するための形態】
【００１５】
本発明に係る遊技機を実施するための形態を実施例に基づいて以下に説明する。
【実施例】
【００１６】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００１７】
図１は、本実施例におけるパチンコ遊技機の正面図であり、主要部材の配置レイアウトを示す。パチンコ遊技機（以下、遊技機と略記する場合がある）１は、大別して、遊技盤面２ａを前面側に有する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。
【００１８】
遊技盤２は、アクリル樹脂、ポリカーボネート樹脂、メタクリル樹脂等の透光性を有する合成樹脂材にて正面視略四角形状に形成され、前面である遊技盤面２ａに障害釘（図示略）やガイドレール２ｂ等が設けられた盤面板（図示略）と、該盤面板の背面側に一体的に取付けられるスペーサ部材（図示略）と、から主に構成されている。尚、本実施例の遊技盤２は、透光性を有する合成樹脂材にて構成されていたが、これに限られるものではなく、ベニヤ板等の非透光性部材にて正面視略四角形状に構成されていてもよい。
【００１９】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２０】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２１】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００２２】
演出表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。
【００２３】
演出表示装置５の表示領域の下部の左右２箇所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００２４】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２５】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２６】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板（図示略）を有する普通電動役物を備え、始動領域（第２始動領域）としての第２始動入賞口を形成する。
【００２７】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００２８】
図１に示されるように、普通可変入賞球装置６Ｂの上方位置には、特別可変入賞球装置７が設けられている。特別可変入賞球装置７は、遊技盤２における右側下部に固定される入賞ユニット７００に組込まれているとともに、図２に示すソレノイド８２によって開閉駆動される大入賞口扉７Ｂによって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００２９】
大入賞口を通過（進入）した遊技球が図２に示すカウントスイッチ２３によって検出されたことに基づき、所定個数（例えば１５個）の遊技球が賞球として払い出される。したがって、特別可変入賞球装置７において大入賞口（図４参照）が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３０】
また、演出表示装置５の左側下方には、一般入賞口４０１Ａ，４０１Ｂ，４０１Ｃ（通路部）を有する一般入賞ユニット４００（取付体）が設けられている（図３参照）。この一般入賞口４０１Ａ，４０１Ｂ，４０１Ｃを通過（進入）した遊技球は、後述する誘導通路４１３により遊技盤２の背面側に設けられた入賞スイッチ３０（図２参照）に誘導され、入賞スイッチ３０により該遊技球が通過（進入）したことが検出される。そして、入賞スイッチ３０により遊技球の通過（進入）が検出されたことに基づき、賞球として所定個数（例えば１０個）の遊技球の払い出しのみが行われる。尚、入賞ユニット７００にも同様に一般入賞口７０１が設けられている。更に尚、一般入賞口７０１は、一般入賞口４０１Ａ，４０１Ｂ，４０１Ｃと同一構成であるため、以下において説明を省略する。
【００３１】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３２】
遊技盤２の表面には、上記の構成以外にも、遊技球の流下方向や速度を変化させる風車及び多数の障害釘が設けられている。また、遊技領域１０の最下方には、いずれの入賞口にも進入しなかった遊技球が取込まれるアウト口１６が設けられている。遊技機用枠３の左右上部位置には、効果音等を再生出力するためのスピーカ８Ｌ，８Ｒが設けられており、更に遊技領域１０の周辺部には、演出用ＬＥＤ９が設けられている。遊技機用枠３の右下部位置には、遊技媒体としての遊技球を遊技領域１０に向けて発射するために遊技者等によって操作される打球操作ハンドル（操作ノブ）が設けられている。
【００３３】
遊技領域１０の下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿９１が設けられている。下皿９１を形成する部材に取付けられたスティックコントローラ３１Ａの傾倒操作は図２に示すコントローラセンサユニット３５Ａにて検出され、上皿９０を形成する部材に設けられたプッシュボタン３１Ｂに対してなされた押下動作はプッシュセンサ３５Ｂにて検出される。
【００３４】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３５】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３６】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３、入賞スイッチ３０からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３７】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３８】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００３９】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９、プッシュセンサ３５Ｂといった演出用の電気部品による演出動作を制御するための各種回路が搭載されている。
【００４０】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４１】
演出表示装置５の演出図柄表示エリア５Ｌ，５Ｃ，５Ｒでは、特図ゲームが開始されることに対応して、演出図柄の変動表示が開始される。
【００４２】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。また、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００４３】
次に、図３〜図９に基づいて、前述した一般入賞ユニット４００の構造について説明する。図３は、（Ａ）は一般入賞ユニットを示す正面図であり、（Ｂ）は一般入賞ユニットを示す背面図である。図４は、一般入賞ユニットを正面から見た斜視図であり、（Ｂ）は一般入賞ユニットを背面から見た斜視図である。図５は、一般入賞ユニットの構造を正面から見た分解斜視図である。図６は、一般入賞ユニットの構造を背面から見た分解斜視図である。図７は、図３（Ａ）におけるＡ−Ａ断面図である。図８は、図３（Ａ）におけるＢ−Ｂ断面図である。図９は、（Ａ）は入賞口形成部の構造を示す正面図であり、（Ｂ）は一般入賞ユニットの背面側から棒状部材を進入させる状態を示す斜視図であり、（Ｃ）は棒状部材によりシール部材を背面側から押圧した状態を示す上面断面図である。
【００４４】
図３〜図６に示すように、一般入賞ユニット４００は、遊技盤面２ａに固定される板状のベース部材４０２と、ベース部材４０２の前面側に取付けられる装飾部材４０３と、ベース部材４０２の背面側に固定され演出用のＬＥＤ（図示略）を有するＬＥＤ基板４０４と、ＬＥＤ基板４０４を被覆するカバー部材４０５と、から主に構成されており、遊技領域１０の左下の位置に固定されている。
【００４５】
特に図５及び図６に示すように、ベース部材４０２は、その背面側にＬＥＤ基板４０４を収容可能な囲い部４１２が突出して設けられている。カバー部材４０５は、囲い部４１２と略同一の外形をなしており、ＬＥＤ基板４０４をネジＮ１で固定した状態で囲い部４１２にネジＮ２により固定することにより、ベース部材４０２とＬＥＤ基板４０４とが連結される。
【００４６】
図３（Ｂ）及び図４に示すように、ベース部材４０２とＬＥＤ基板４０４とが連結された状態にあっては、ＬＥＤ基板４０４がベース部材４０２、囲い部４１２、及びカバー部材４０５により囲われるので、一般入賞ユニット４００を遊技盤２に取付け時に生じる衝撃等によりＬＥＤ基板４０４が破損することがない。
【００４７】
また、ベース部材４０２及び装飾部材４０３は、透光性を有する合成樹脂材にて形成されており、ＬＥＤ基板４０４に取付けられたＬＥＤの光を前面側（遊技者側）に透過するようになっており、演出性を向上させることができる。
【００４８】
図４〜図６に示すように、装飾部材４０３は、前面側（遊技者側）に面する前板部４０６と、前板部４０６の上部から背面側に延設され一般入賞口４０１Ａ，４０１Ｂ，４０１Ｃを構成する入賞口形成部４０７Ａ，４０７Ｂ，４０７Ｃと、前板部４０６の下部から背面側に突設される誘導部４０８と、を備えている。
【００４９】
入賞口形成部４０７Ａ，４０７Ｂ，４０７Ｃ及び誘導部４０８にはネジ孔がそれぞれ設けられており、ベース部材４０２には、各ネジ孔に対応する貫通孔が形成されている。これらネジ孔及び貫通孔にネジＮ３を螺合することによりベース部材４０２と装飾部材４０３とが連結される。尚、入賞口形成部４０７Ａ，４０７Ｂ，４０７Ｃ及び誘導部４０８には、背面側に突出する突起が設けられており、この突起を対応するベース部材４０２の凹部に嵌合することにより、ベース部材４０２と装飾部材４０３とが位置決めされるため、ベース部材４０２と装飾部材４０３との連結作業が簡便となっている。
【００５０】
ベース部材４０２と装飾部材４０３とがネジＮ３にて連結された状態にあっては、入賞口形成部４０７Ａ，４０７Ｂ，４０７Ｃと誘導部４０８とにより、ベース部材４０２と装飾部材４０３の前板部４０６とが前後方向に離間して配置され、ベース部材４０２と装飾部材４０３の前板部４０６との間には、遊技領域１０を流下する遊技球Ｐが通過可能な一般入賞口４０１Ａ，４０１Ｂ，４０１Ｃと、一般入賞口４０１Ａ，４０１Ｂ，４０１Ｃに入らなかった遊技球Ｐが通過する空間Ｓと、が形成される。尚、ベース部材４０２と装飾部材４０３とが連結された状態において、一般入賞口４０１Ａ，４０１Ｂ，４０１Ｃは、上方に開口するように構成される。
【００５１】
図３（Ａ）及び図６に示すように、誘導部４０８は、ガイドレール２ｂに沿って延設されており、一般入賞口４０１Ａ，４０１Ｂ，４０１Ｃに入らずに空間Ｓ内に流入してきた遊技球Ｐは、誘導部４０８により全てアウト口１６へ誘導される。また、図３（Ｂ）に示すように、一般入賞口４０１Ａ，４０１Ｂ，４０１Ｃに流入した遊技球Ｐは、遊技盤２の背面側に設けられる誘導通路４１３に誘導されて回収される。
【００５２】
次に、入賞口形成部の構造について説明する。尚、入賞口形成部４０７Ａ，４０７Ｂ，４０７Ｃは、ほぼ同一構成であるため、ここでは入賞口形成部４０７Ｂのみを例に挙げ説明し、一般入賞口４０１Ａ，４０１Ｃの説明を省略する。
【００５３】
図７及び図８に示されるように、入賞口形成部４０７Ｂは、装飾部材４０３の前板部４０６と略同一平面上に固定された前壁部４０９（第１壁部）と、前壁部４０９から背面側に向けて突出する側壁部４１０Ｌ，４１０Ｒ及び底壁部４１１からなる突出部４１５（第２壁部）と、から成る。これら前壁部４０９及び突出部４１５は、一体的に形成されており、これらにより構成される一般入賞口４０１Ｂは、一般入賞口４０１Ｂに流入した遊技球Ｐを背面側の誘導通路４１３に通過させる通路部を構成している。誘導通路４１３は、一般入賞ユニット４００を遊技盤２に取付けた状態において該一般入賞ユニット４００の背面側に取付けられるカバー体にて形成される。
【００５４】
尚、ベース部材４０２には、突出部４１５と連通するように背面側に延びる延設部４１６（接続部材）が設けられている。この延設部４１６は、誘導通路４１３の一部を構成している。つまり、突出部４１５の後方側端部には、突出部４１５とは別個に設けられるベース部材４０２の延設部４１６が接続可能とされている。
【００５５】
また、底壁部４１１の上面と前壁部４０９の背面とには、一般入賞口４０１Ｂから流入した遊技球Ｐを背面側の誘導通路４１３に向けて転がるようにガイドする凸条部４１４（案内部）が設けられており、この凸条部４１４により遊技球Ｐの流れをスムーズにして球詰まりを防止できるとともに、前壁部４０９と突出部４１５との連結強度も高くなっている。
【００５６】
前壁部４０９の前面側には、装飾用のシール部材３００が貼付されるシール貼付部４１８が設けられている。尚、図示しないが、シール部材３００は、前面にキャラクタや模様等が記載された基材シートと、該基材シートの裏面に設けられた粘着面と、から構成されている。シール部材３００は非透光性を有し、流下する遊技球Ｐによる衝突や経年等により、シール貼付部４１８から剥がれないように強力な粘着剤により粘着面が形成されている。
【００５７】
また、図７及び図８に示すように、シール貼付部４１８は、前壁部４０９の前面よりも背面側に若干凹む凹形状を成しており、これにより、シール部材３００の縁部を捲りにくくなるため、シール部材３００が剥がれ難くなっている。
【００５８】
図５の拡大部及び図９（Ａ）に示すように、シール部材３００の下部には、切欠き部３０１が形成されているとともに、前壁部４０９の下部には、切欠き部３０１に対応する突片４１９が形成されている。これによれば、突片４１９に切欠き部３０１の位置を合わせることでシール部材３００をシール貼付部４１８に対し、正確に且つ容易に貼付することができる。尚、本実施例では、切欠き部３０１及び突片４１９を１個ずつ設ける形態について説明したが、これに限られるものではなく、複数個ずつ設けて、シール貼付部に対するシール部材の精度を更に高めてもよい。また、シール貼付部とシール部材との位置決め手段は、シール貼付部とシール部材との対応する位置にそれぞれ設けられる目印等であってもよい。
【００５９】
また、シール部材３００がシール貼付部４１８に貼付されることで、孔部４２０が前面側から塞がれるとともに、シール部材３００により遊技者側から孔部４２０を視認できないまたは視認が困難な状態となる。よって、一般入賞ユニット４００が遊技盤２に取付けられた状態において、前方から孔部４２０を介して針金等の不正部材を挿入して主基板などに不正を行うといった不正行為を抑制することができる。
【００６０】
このようなパチンコ遊技機１にあっては、旧機種から新機種への機種変更、あるいはスペックが異なる機種への機種変更を行う場合がある。旧機種から新機種への機種変更、あるいはスペックが異なる機種への機種変更は、遊技機メーカーが遊技場から既存の遊技機を回収して交換部品の交換作業を行うことが多い。近年では、環境への配慮のために、極力、既存の部品を再利用することが求められている。既存の部品の再利用の一例として、既存の部品から装飾用のシール部材を剥がし、新たなシール部材に貼り替えることがある。尚、遊技機メーカーが交換部品を遊技場へ納品し、遊技場側で交換部品の交換作業を行う場合もあるが、この場合においても、交換した既存の部品を遊技機メーカーが回収し再利用する。しかしながら、上記したようにシール部材３００の粘着力が強い場合やシール貼付部４１８の外縁部にアクセスし難くなっている場合等には、既存の部品から古いシール部材を剥がす作業が煩雑になる。
【００６１】
そこで、本実施例の一般入賞ユニット４００は、前壁部４０９におけるシール貼付部４１８に前後に貫通する孔部４２０を設け、図９（Ｂ）に示すように、シール貼付部４１８に貼付されたシール部材３００を該シール貼付部４１８の背面側（反対側）から孔部４２０に棒状部材５００を挿入し押圧して剥離できるようにしている。尚、図９においては、説明の便宜上、一般入賞口４０１Ａを例示して説明する。
【００６２】
具体的には、一般入賞ユニット４００を遊技盤２から取外し、その後、シール貼付部４１８の背面側から孔部４２０に棒状部材５００を挿入し、シール部材３００を押圧して剥離する。図９（Ａ）に示すように、孔部４２０は、シール貼付部４１８における側壁部４１０Ｒと凸条部４１４との間に形成されており、その延設方向は、側壁部４１０Ｒと平行に延びている。つまり、孔部４２０は、シール貼付部４１８における遊技球Ｐの一般入賞口４０１Ａ（通路部）に対応する位置に形成されており、孔部４２０の背面側の領域（孔部４２０に対応する領域）には、突出部４１５がかからない（存在しない）ようになっている。したがって、図９（Ｃ）に示すように、突出部４１５がシール貼付部４１８の背面側から孔部４２０を介して挿入される棒状部材５００の邪魔になることがない。
【００６３】
また、シール貼付部４１８の背面側に向けて遊技球Ｐの通路を形成する突出部４１５が延設されているため、シール貼付部４１８の背面側に空間が確保される。したがって、その突出部４１５内に形成される一般入賞口４０１Ａを利用して棒状部材５００を孔部４２０に挿入できる。
【００６４】
更に、前壁部４０９は、突出部４１５及び凸条部４１４により強度が向上しており、孔部４２０は、前壁部４０９（シール貼付部４１８）における側壁部４１０Ｒと凸条部４１４との間に形成されていることから、孔部４２０周辺の強度が高い。したがって、遊技球Ｐが前壁部４０９に衝突しても前壁部４０９が破損しにくい。
【００６５】
また、凸条部４１４は、前壁部４０９の背面側の略中央部に設けられているため、孔部４２０は、シール貼付部４１８の中央からずれた位置に形成されている。そのため、図９（Ｃ）に示すように、シール部材３００をシール貼付部４１８の背面側から孔部４２０に挿入した棒状部材５００により押圧した際には、シール部材３００がその右外縁部から剥離しやすくなる。このように、シール部材３００の外縁の一部がシール貼付部４１８から剥離し易くなっているため、棒状部材５００の押圧力によりシール部材３００を破断させずに剥離しやすくなる。尚、シール部材３００の外縁の一部がシール貼付部４１８から剥離した時点で、作業者がその剥離部分を摘んでシール部材３００全体をシール貼付部４１８から剥がす。
【００６６】
また、ベース部材４０２の延設部４１６は、突出部４１５と接続され、且つ一般入賞口４０１Ａから流れてくる遊技球Ｐが延設部４１６上を通過可能となっているため、孔部４２０の背面側の領域（孔部４２０に対応する領域）には、延設部４１６がかからない（存在しない）ようになっている。そのため、シール貼付部４１８の反対側から孔部４２０に棒状部材５００を挿入する際に延設部４１６が邪魔になることがない。
【００６７】
また、一般入賞ユニット４００は、入賞口形成部４０７Ａ，４０７Ｂ，４０７Ｃが設けられていることから、複数のシール貼付部４１８を有しており、孔部４２０は、複数のシール貼付部４１８が各々に対応して設けられている。これによれば、複数のシール部材３００を各々剥離することが可能となる。
【００６８】
以上説明したように、本発明の実施例としてのパチンコ遊技機１にあっては、遊技が可能なパチンコ遊技機１であって、パチンコ遊技機１に取付けられる一般入賞ユニット４００を備え、一般入賞ユニット４００は、シール部材３００が貼付されるシール貼付部４１８と、シール貼付部４１８の反対側に向けて突出する突出部４１５と、シール貼付部４１８に形成され、シール貼付部４１８に貼付されたシール部材３００をシール貼付部４１８の反対側から押圧して剥離するための孔部４２０と、を有し、突出部４１５は、シール貼付部４１８の反対側における孔部４２０に対応する領域にかからないように突出している。
【００６９】
このようにすることで、シール貼付部４１８の反対側に向けて突出する突出部４１５を有する一般入賞ユニット４００であっても、シール貼付部４１８の反対側（背面側）から孔部４２０を介してシール部材３００を剥離する際に突出部４１５が邪魔になることがない。つまり、シール部材３００を剥離するために、シール貼付部４１８の背面側から棒状部材５００を孔部４２０に挿入する際に、突出部４１５に棒状部材５００が干渉しないため、棒状部材５００を孔部４２０にスムーズに挿入でき、シール部材３００を容易に剥離することができる。
【００７０】
また、一般入賞ユニット４００は、遊技領域１０を流下する遊技球Ｐが通過可能な一般入賞口４０１Ａを有し、突出部４１５は、シール貼付部４１８を有する前壁部４０９と、前壁部４０９から連設され突出部を構成する側壁部４１０Ｌ，４１０Ｒ及び底壁部４１１と、から構成され、一般入賞口４０１Ａは、前壁部４０９からシール貼付部４１８の反対側に向けて延設され、孔部４２０は、シール貼付部４１８における一般入賞口４０１Ａに対応する位置に形成されている。これによれば、シール貼付部４１８の反対側に向けて一般入賞口４０１Ａが延設されることで、孔部４２０におけるシール貼付部４１８の反対側に空間が確保される。これにより、その一般入賞口４０１Ａを利用して棒状部材５００を孔部４２０に向けて挿入させることができるため、棒状部材５００の挿入に十分な大きさの空間が確保され、孔部４２０が使いやすくなるとともに、別個に棒状部材５００を孔部４２０に向けて挿入させるための空間を形成しなくて済む。
【００７１】
また、前壁部４０９における一般入賞口４０１Ａ側には、遊技球Ｐを案内する凸条部４１４が設けられ、孔部４２０は、シール貼付部４１８における側壁部４１０Ｒと凸条部４１４との間に形成されている。これによれば、側壁部４１０Ｌ，４１０Ｒ、底壁部４１１、及び凸条部４１４により前壁部４０９の強度が向上しており、孔部４２０は、前壁部４０９（シール貼付部４１８）における側壁部４１０Ｒと凸条部４１４との間に形成されていることから、孔部４２０を形成することによる前壁部４０９の強度低下を抑制でき、孔部４２０周辺の強度を保つことができる。したがって、遊技球Ｐが前壁部４０９に衝突しても前壁部４０９が破損しにくい。
【００７２】
また、突出部４１５の端部には、突出部４１５とは別個に設けられるベース部材４０２の延設部４１６が接続可能とされ、延設部４１６は、突出部４１５の端部からシール貼付部４１８の反対側における孔部４２０に対応する領域にかからないように突出している。
【００７３】
これによれば、シール貼付部４１８の反対側から孔部４２０を介してシール部材３００を剥離する際に延設部４１６が邪魔になることがない。つまり、シール部材３００を剥離するために、シール貼付部４１８の背面側から棒状部材５００を孔部４２０に挿入する際に、突出部４１５及び延設部４１６に棒状部材５００が干渉しないので、棒状部材５００をその長手方向にスムーズに進入させることができ、シール部材３００を容易に剥離することができる。
【００７４】
また、一般入賞ユニット４００は、複数のシール貼付部４１８を有し、孔部４２０は、複数のシール貼付部４１８各々に対応して設けられている。詳しくは、孔部４２０は、複数のシール貼付部４１８各々に１つずつ設けられているため、複数のシール部材３００を各々剥離することが可能となる。更に、本実施例の前壁部４０９は、１つのシール貼付部に対して複数の孔部を設ける前壁部に比べて、強度を高く保つことができる。
【００７５】
また、孔部４２０は、シール貼付部４１８の中央からずれた位置に形成されている。詳しくは、シール貼付部４１８の右側に寄せて形成されている。そのため、シール部材３００をシール貼付部４１８の背面側から孔部４２０に挿入した棒状部材５００により押圧した際には、シール部材３００の右外縁部がシール貼付部４１８から剥離しやすくなっているため、棒状部材５００の押圧力によりシール部材３００を破断せずに剥離しやすくなる。
【００７６】
以上、本発明の実施例を図面により説明してきたが、具体的な構成はこれら実施例に限られるものではなく、本発明の要旨を逸脱しない範囲における変更や追加があっても本発明に含まれる。
【００７７】
次に、一般入賞ユニットの変形例について図１０及び図１１を用いて説明する。図１０は、（Ａ）は一般入賞ユニットの変形例を示す正面図であり、（Ｂ）は一般入賞ユニットの変形例を示す背面図である。図１１は、（Ａ）は図１０（Ａ）におけるＣ−Ｃ断面図であり、（Ｂ）は（Ａ）の状態から棒状部材によりシール部材を背面側から押圧した状態を示す上面断面図である。
【００７８】
図１０（Ａ）に示すように、本変形例における一般入賞ユニット６００は、前壁部６０９以外にも装飾部材６０３の前板部６０６の複数箇所にシール貼付部６１８が設けられており、各シール貼付部６１８には、それぞれシール部材３００が貼付されている。尚、空間Ｓ’は、前板部６０６と、前板部６０６の背面側に延びる誘導部６０８（突出部）とにより、遊技球Ｐが通過可能な本変形例における通路部を構成している。
【００７９】
これら各シール貼付部６１８には、前板部６０６を前後方向に貫通して空間Ｓ’に連通する孔部６２０がそれぞれ１つずつ設けられている。つまり、孔部６２０は、シール貼付部６１８における空間Ｓ’に対応する位置に形成されている。また、これら孔部６２０は、誘導部６０８を避けてその近傍に設けられている。
【００８０】
また、図１０（Ｂ）及び図１１に示すように、ベース部材６０２、ＬＥＤ基板６０４、カバー部材６０５（接続部材）には、各孔部６２０に対応する位置に孔部６２１，６２２，６２３がそれぞれ設けられている。つまり、ベース部材６０２、ＬＥＤ基板６０４、カバー部材６０５は、孔部６２１，６２２，６２３により、誘導部６０８の端部からシール貼付部６１８の反対側における孔部６２０に対応する領域にかからないように突出している。
【００８１】
図１０（Ｂ）に示されるように、一般入賞ユニット６００を遊技盤２から取外した後、孔部６２０〜６２３に棒状部材５００を挿通させ、シール部材３００を押圧することにより、シール貼付部６１８からシール部材３００が剥離される。
【００８２】
このように、ベース部材６０２、ＬＥＤ基板６０４、カバー部材６０５には、孔部６２１，６２２，６２３が設けられているため、前板部６０６の孔部６２０の背面側の領域にベース部材６０２、ＬＥＤ基板６０４、カバー部材６０５などが存在していても、孔部６２１，６２２，６２３を介して孔部６２０に対し背面側から棒状部材５００がアクセスできるため、一般入賞ユニット６００を構成する各部材（ベース部材６０２、装飾部材６０３、ＬＥＤ基板６０４、カバー部材６０５）を分解しなくても棒状部材５００によるシール部材３００の剥離作業を行うことができる。
【００８３】
また、装飾部材６０３は、ベース部材６０２に対して誘導部６０８を利用して連結されており、前板部６０６において誘導部６０８の近傍は比較的強度が高くなっており、孔部６２０は、前板部６０６において比較的強度の高い誘導部６０８の近傍に設けられているため、孔部６２０を形成することによる前板部６０６の強度低下を抑制できる。
【００８４】
また、ここでは図示しないが、一般入賞ユニット６００の背面側（棒状部材５００を挿入する側）に棒状部材５００の挿入をガイドするガイド部を設け、そのガイド部によって棒状部材５００の先端が孔部６２０に確実に案内されるようにしてもよい。
【００８５】
尚、前記実施例では、孔部４２０，６２０が通路部としての一般入賞口４０１Ａ，４０１Ｂ，４０１Ｃまたは空間Ｓ’に対応する位置に形成されている形態を例示したが、本発明はこれに限定されるものではなく、孔部は通路部に対応しない位置（通路部の外側等）に設けられていてもよい。
【００８６】
また、前記実施例では、突出部４１５または誘導部６０８を突出部とした形態を例示したが、本発明はこれに限定されるものではなく、突出部は、シール貼付部の反対側に突出して設けられるものであり、例えば、取付体を遊技盤２に連結するために前板部６０６から背面側に延設される取付ボス等も含む。
【００８７】
また、前記実施例では、一般入賞ユニット４００，６００を遊技盤２に取付けられる取付体とする形態を例示したが、本発明はこれに限定されるものではなく、例えば、遊技盤２における開口２ｃ（遊技領域１０）に取付けられるセンター飾り枠や、遊技盤２（遊技領域１０）に取付けられる演出用のサイドランプや、遊技機用枠３（遊技領域１０外）に取付けられる装飾体等を取付体としてもよい。また、装飾部材４０３のみを指して取付体としてもよい。つまり、取付体は、ベース部材４０２や遊技盤２や遊技機用枠３といった取付ベースに設けられていればよい。
【００８８】
また、前記実施例では、本発明が適用された一般入賞ユニット４００，６００は遊技盤２に取付けられる取付体とされていたが、本発明はこれに限定されるものではなく、パチンコ遊技機１におけるベース部にシール貼付部（例えば、シール貼付部４１８／シール貼付部６１８）と、突出部（例えば、突出部４１５／誘導部６０８／取付ボス等）と、孔部（例えば、孔部４２０／孔部６２０）と、が設けられていてもよい。
【００８９】
また、前記実施例では、入賞口形成部４０７Ａ，４０７Ｂ，４０７Ｃが通路部の一例である一般入賞口４０１Ａ，４０１Ｂ，４０１Ｃを構成する形態について例示したが、これに限定されるものではなく、通路部は、大入賞口、第１始動入賞口、第２始動入賞口、通過ゲート４１、アウト口１６等を構成する部材により構成されてもよい。
【００９０】
また、前記実施例では、シール貼付部４１８の反対側から孔部４２０に棒状部材５００を挿入し、シール部材３００を押圧して剥離する形態について説明したが、本発明はこれに限定されるものではなく、孔部４２０を介してシール部材３００を押圧できれば、例えば、作業者の指等であってもよい。つまり、孔部の大きさ等によって孔部を介してシール部材を押圧するものを適宜変更してもよい。
【００９１】
また、前記実施例では、一般入賞ユニット４００を遊技盤２から取外して孔部４２０に棒状部材５００を挿入する形態について説明したが、本発明はこれに限定されるものではなく、誘導通路４１３にも孔部を設け、一般入賞ユニット４００を遊技盤２に取付けたまま、誘導通路４１３側から孔部４２０に棒状部材５００を挿入してもよい。
【００９２】
また、前記実施例では、孔部４２０が形成される方向（前後方向）と略平行に突出部４１５が延設される形態について説明したが、本発明はこれに限定されるものではなく、孔部４２０を介してシール部材３００を押圧する際において、棒状部材等が干渉しない（本体部が孔部に対応する領域にかからない）ようになっていればよく、例えば、孔部の軸方向に側壁部または底壁部（本体部）が若干傾斜していてもよい。棒状部材が挿入されるスペースが拡大するように孔部の軸方向に対し側壁部または底壁部（本体部）を傾斜させれば、棒状部材が挿入しやすくなる。
【００９３】
また、前記実施例では、１つのシール貼付部４１８に対して１つの孔部４２０が設けられている形態について説明したが、本発明はこれに限定されるものではなく、１つのシール貼付部に複数個の孔部を設け、シール貼付部からシール部材を剥がしやすくしてもよい。尚、シール貼付部の強度を重視する場合には、前記実施例のように、１つのシール貼付部４１８に対して１つの孔部４２０を設ければよい。
【００９４】
また、前記実施例では、孔部４２０は、突出部４１５の近傍に設けられる形態について説明したが、本発明はこれに限定されるものではなく、突出部から孔部を離間して設け、棒状部材等を動かせるスペースを大きくとって、シール部材の剥離作業を行いやすくしてもよい。尚、シール貼付部の強度を重視する場合には、前記実施例のように、孔部を突出部の近傍に設ければよい。
【００９５】
また、前記実施例では、孔部４２０がシール貼付部４１８の中央からずれた位置に形成されている形態について説明したが、本発明はこれに限定されるものではなく、シール部材が小さい場合等にあっては、孔部をシール貼付部の中央に設けてもよい。また、孔部４２０は、シール貼付部４１８の中央からずれた位置に形成されていれば、例えば、前板部４０６や前壁部４０９といった部材の中央位置に形成されていてもよい。言い換えると、前板部４０６や前壁部４０９の中央位置に孔部４２０を設け、該孔部４２０がシール部材３００の中央位置からずれた位置に配置されるようにシール部材３００を貼付するようにしてもよい。
【００９６】
また、前記実施例では、シール部材３００は、基材シートと、該基材シートの裏面に設けられた粘着面と、によりシート状に構成されている形態について説明したが、本発明はこれに限定されるものではなく、シール部材は、シート状の部材に限定されるものではなく、立体形状の構造物の裏面側に粘着面を設けたもの等も含む。
【００９７】
また、前記実施例では、入賞口形成部４０７Ａ，４０７Ｂ，４０７Ｃは、ベース部材４０２と装飾部材４０３とが連結された状態において、一般入賞口４０１Ａ，４０１Ｂ，４０１Ｃが上方に開口するように構成される形態を例示したが、本発明はこれに限定されるものではなく、一般入賞口４０１Ａ，４０１Ｂ，４０１Ｃは左側方、右側方、斜め上方などを向いていてもよい。
【００９８】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【００９９】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０１００】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【符号の説明】
【０１０１】
１        パチンコ遊技機
３００    シール部材
４００    一般入賞ユニット
４０１Ａ，４０１Ｂ，４０１Ｃ    一般入賞口
４０２    ベース部材
４０３    装飾部材
４０８    誘導部
４０９    前壁部
４１０Ｌ，４１０Ｒ  側壁部
４１１    底壁部
４１３    誘導通路
４１４    凸条部
４１５    本体部
４１６    延設部
４１８    シール貼付部
４２０    孔部
【図１】
2019000572.tif 000003
【図２】
2019000572.tif 000004
【図３】
2019000572.tif 000005
【図４】
2019000572.tif 000006
【図５】
2019000572.tif 000007
【図６】
2019000572.tif 000008
【図７】
2019000572.tif 000009
【図８】
2019000572.tif 000010
【図９】
2019000572.tif 000011
【図１０】
2019000572.tif 000012
【図１１】
2019000572.tif 000013